(57)【要約】【課題】包装袋などの袋口封止に要求されるスペックに合わせて選択できて、作業性、デザイン乃至ファッション性に優れ、作製が簡単、安価で且つ再利用が可能な簡易タイプの緊締紐テープを提供する。【解決手段】被緊締部に巻回して緊締する、所定の横幅Ｗ、長さＬ及び厚さｔのプラスチックシート片１１からなる緊締紐テープ１０であって、プラスチックシート片１１は、長さ方向の一端部側に少なくとも１個の掛止孔１２が穿設され、当該プラスチックシート片１１の他端部側が掛止孔１２へ弾性変形により強制的に挿通・牽引され、前記牽引・停止後に前記弾性変形の復元力により所定位置に係止されて、被緊締部が緊締される。【選択図】図１
2019085160.tif 000002
【特許請求の範囲】
【請求項１】
被緊締部に巻回して緊締する、所定の横幅、長さ及び厚さのプラスチックシート片からなり、
前記プラスチックシート片は、長さ方向の一端部側に少なくとも１個の掛止孔が穿設され、当該プラスチックシート片の他端部側が前記掛止孔へ弾性変形により強制的に挿通・牽引され、前記挿通・牽引停止後に前記弾性変形の復元力により所定位置に係止されて、被緊締部が緊締されることを特徴とする緊締紐テープ。
【請求項２】
前記掛止孔は、円形状の貫通孔からなり、前記貫通孔の直径をＤ、プラスチックシート片の横幅をＷとして、これらの関係は、２Ｄ＜Ｗにあることを特徴とする請求項１に記載の緊締紐テープ。
【請求項３】
前記プラスチックシート片は、前記他端部と前記掛止孔との間に、少なくとも一つの掛止部が形成されていることを特徴とする請求項１または２に記載の緊締紐テープ。
【請求項４】
前記プラスチックシート片は、表裏面の少なく一面に表示領域が設けてあることを特徴とする請求項１〜３のいずれかに記載の緊締紐テープ。
【請求項５】
請求項１〜４のいずれかの緊締紐テープが複数分離可能な結合手段で連結されていることを特徴とする緊締紐テープ連結シート。
【発明の詳細な説明】
【技術分野】
【０００１】
本発明は、緊締紐テープ及び緊締紐テープ連結シートに係り、詳しくは、多種多様な被包装物乃至結束物（以下、総称して「被包装物など」という）を包装乃至結束する包装袋などの袋口等を簡易に封止乃至結束する際に要求されるニーズに適合できるスペック（ｓｐｅｃ:仕様）を備えた簡易タイプの緊締紐テープ及びこの緊締紐テープ複数枚を切離自在に連結した緊締紐テープ連結シートに関する。
【背景技術】
【０００２】
スーパーマーケットやコンビニエンストアなどの店頭には、パンなどの菓子、玉ねぎなどの野菜、みかんなどの果物などが概ねポリプロピレンなどのプラスチックフィルム製の包装袋や網状袋などに袋詰めし、或いは複数本のアスパラガスや長ネギなどが束ねられて陳列・販売されている。
これらの包装袋などは、被包装物などの種類や数量などに応じて多種多様な結束テープなどによって袋口を封止乃至結束して、保管、流通されている。
【０００３】
これらの結束テープなどには、多種多様な包装袋などに対応して、それぞれに適合するタイプのもの、例えば結束用粘着テープとカッターからなるシール装置（なお、一般に「バックシーラー」とも称されている）、ビニタイ（登録商標）、エスタイ（商品名）や緊締紐テープなどが使用されており、また、特許文献でも紹介されている。
【０００４】
例えば、下記特許文献１（特許第３９４２０５４号公報）には、結束シール装置が記載されている。この結束シール装置は、粘着テープのロール体を回転可能に保持する保持部と、被シール体を案内誘導する誘導路と、上記ロール体から引き出された粘着テープを誘導路内へ誘導すると共に被シール体に粘着テープを包囲させるための凹所を有するテープ供給手段と、上記誘導路におけるテープ供給手段の後方側の下方に位置して誘導路内に出没可能に突出するテープカッターと、で構成されている。
【０００５】
この結束シール装置によれば、保持部に保持されたロール体から引き出された粘着テープを、テープ供給手段上にセットした後、被シール体を導入口から誘導路内に挿入させると、被シール体がテープ供給手段の凹所に案内されると共に、被シール体の外周に粘着テープが包囲された後、粘着テープが貼着して被シール体を束ね締め（結束）状態にシールすることができる。
【０００６】
また、下記特許文献２（特開平６−３３０４４１号公報）には、簡易結束に使用される可塑性リボンが記載されている。
この可塑性リボンは、リボン状の織物・編み物・不織布或いはこれらの複合シートで、長さ方向に少なくとも１本の可塑性を有する線材をオメガ状に露出部分がない様に被覆し、線材とリボン状シートをホットメルト接着剤で接着させた構成を有している。この可塑性リボンによれば、簡易結束性・結束機械への適合性が優れ、またリボンの持つドレープ性や肌触りなどの風合い、光沢、発色性・や展開などのファッション性、更に高級感を備えたものになる。
【０００７】
さらに、下記特許文献３（実用新案登録第３２１１１００号公報）には、緊締紐テープが記載されている。
この緊締紐テープは、ループ面とフック面が重ね接合が可能な面ファスナーを用い、一面にループ面を有するループ面部と、このループ面部の長手方向一端側に連設され、ループ面部と同一面にフック面を有するフック面部と、ループ面部の長手方向他端側に付設され、一端側を挿通して折り返すための環状体とを有し、フック面部の表面は夜光塗料を用いた印刷部にし、この印刷部には企業名、製品名やマークなどを印刷できるように構成されている。
この緊締紐テープによれば、印刷部に夜光塗料で製品名などを印刷することにより、暗所で結束する際に結束対象物の判別が容易になる。
【先行技術文献】
【特許文献】
【０００８】
【特許文献１】特許第３９４２０５４号公報
【特許文献２】特開平６−３３０４４１号公報
【特許文献３】実用新案登録第３２１１１００号公報
【発明の概要】
【発明が解決しようとする課題】
【０００９】
従来技術のバックシーラー、ビニタイ及び上記特許文献１〜３に記載の結束シール装置、可塑性リボン乃至緊締紐テープなどは、いずれも、概ね、大量生産品（物）、例えば大量のお菓子や野菜などを包装乃至結束する包装袋などの袋口の封止乃至結束するものであって、以下の課題を抱えている。
【００１０】
例えば、上記特許文献１に記載の結束シール装置は、粘着テープ、それを巻回したロール体及びカッターなどで構成されていることから、これらの構成部品はいずれも特殊な特注品となっているので、シール装置の製作コストが掛かりまた価格が高くなる。一方でまた、このシール装置を使用し、被シール体から粘着テープを取り外す際には、粘着テープが堅固に接着されているので、手指爪では切断できず、別途ナイフどの切断具が必要となる。
【００１１】
また、上記特許文献２に記載の可塑性リボンは、織物・編み物・不織布・これらの複合シートと、可塑性を有する線材を用い、これらの線材とリボン状シートをホットメルト接着剤で接着せしめた構成となっているので、特殊なシート及び線材などが必要となり材料費が高騰し、また製作も面倒で価格も高価になる。また、線材を使用しているので、この線材が隣接する他の包装袋に接触して損傷させる恐れがある。
【００１２】
さらに、上記特許文献３に記載の緊締紐テープによれば、印刷部に夜光塗料で製品名などを印刷することにより、暗所で結束する際に結束対象物の判別が容易になる。しかし、この緊締紐テープも、上記可塑性リボンと同様の課題がある。
【００１３】
しかし、従来技術のバックシーラー、ビニタイ及び上記特許文献１〜３に記載の結束シール装置、可塑性リボン乃至緊締紐テープなどは、上記課題があっても、数量が格段に多いものを対象としているので、比較的大掛かりな生産設備を導入して製作しても、大量生産によるコストダウン、いわゆるスケールメリットにより、費用対効果のバランスが採れるので、大きな問題になることはない。
【００１４】
ところで、被包装物などは、大量生産品（物）だけでなく、少量生産物、例えば多品種・少量生産品（物）も多々あり、これらの品（物）にあっても、さらに細部にあっては種々雑多なものになっている。例えば、被包装物などはそれらの形状の大小、重さの軽重などの違いがあり、また壊れ易い（扱い注意）など、さらに、包装したもの用途にあっては、贈答、店頭陳列、保管などがある。
【００１５】
そうすると、まず、このような種々雑多な多品種・少量生産品（物）に対応した包装袋などを選定し、次いで、この選定し包装袋などに適合する結束テープなどの緊締材が必要となる。例えば、包装袋などの種類が多くなるので、それらで包装などした被包装物などの識別・表示、また、被包装物などが壊れやすい旨の扱い注意書き、さらに、ギフト（贈答）の場合は、色、模様などを付し装飾乃至デザイン性を付与、さらにまた、ちょっとした伝言が付けられるようにしたもの、例えば、お土産のお菓子などを配るために小分けし、何処どこのお土産ですなどの伝言を付けて分配する、或いはみかん、玉ねぎなど小数個（例えば２〜５個）に分けて保管乃至配るような場合がある。
また、その外、恒久的な結束でなく簡易な結束でよく、デザイン性乃至ファッション性を有し、製作が容易、ちっとした遊び心を持ったものにしたい、或いは価格が安いなど様々な要求がある。
【００１６】
そうすると、従来技術のバックシーラー、ビニタイ及び結束テープ、結束シール装置、リボン乃至緊締紐テープなどは、大量生産品（物）を対象としているので、多品種、少量生産品（物）に対応させようとすると最大の課題となる価格、すなわち大掛かりな生産設備を導入しなければならなくなり、そのために生産コストに見合う価格にできず（不可能）、多品種・少量生産によるコストダウン、いわゆるスケールメリットが働かない課題に直面し、その結果、上記の諸要求に応えることができないものとなる。
【００１７】
そこで、本発明者らは、従来技術の課題、例えば結束シール装置が高価、切断具が必要、特殊シートを用いるので材料費が高騰、製作が面倒など、を解決すると共に、上記の諸要求に応えるための緊締具材（以下、緊締紐テープと称する）を開発すべく、試行錯誤を繰り返し鋭意検討した。その結果、所定大きさのプラスチックシートを用いれば、それらは広く一般にごく普通に使用されているものであることから、簡単、安価に入手できること、また、このようなプラスチックシートは所望の色、模様などが簡単に印刷できること、また、加工（製作）はプラスチックシートの穿設、裁断などで簡単にでき、任意の形状にして、デザイン性乃至ファッション性が優れ、安価にでき、多品種、少量生産品（物）をも対象にできることなどに想到し、本発明を完成させるに至ったものである。
【００１８】
本発明の目的は、多種多様な被包装物乃至結束物などを包装乃至結束する包装袋などの袋口封止乃至結束する際に要求されるスペックに合わせて選択できて、作業性、デザイン乃至ファッション性に優れ、遊び心性などをも備え、作製が簡単、安価で且つ再利用が可能な簡易タイプの緊締紐テープを提供することにある。
【００１９】
本発明の他の目的は、上記緊締紐テープ複数枚を切離自在に連結した緊締紐テープ連結シートを提供することにある。
【課題を解決するための手段】
【００２０】
本発明の第１の態様の緊締紐テープは、被緊締部に巻回して緊締する、所定の横幅、長さ及び厚さのプラスチックシート片からなり、前記プラスチックシート片は、長さ方向の一端部側に少なくとも１個の掛止孔が穿設され、当該プラスチックシート片の他端部側が前記掛止孔へ弾性変形により強制的に挿通・牽引され、前記挿通・牽引停止後に前記弾性変形の復元力により所定位置に係止されて、被緊締部が緊締されることを特徴とする。
【００２１】
本発明の第２の態様の緊締紐テープは、第１の態様の緊締紐テープにおいて、前記掛止孔は、円形状の貫通孔からなり、前記貫通孔の直径をＤ、プラスチックシート片の横幅をＷとして、これらの関係は、２Ｄ＜Ｗにあることを特徴とする。
【００２２】
本発明の第３の態様の緊締紐テープは、第１または２の態様の緊締紐テープにおいて、前記プラスチックシート片は、前記他端部と前記掛止孔との間に、少なくとも一つの掛止部が形成されていることを特徴とする。
【００２３】
本発明の第４の態様の緊締紐テープは、第１〜３のいずれかの態様の緊締紐テープにおいて、前記プラスチックシート片は、表裏面の少なく一面に表示領域が設けてあることを特徴とする。
【００２４】
本発明の第５の態様の締紐テープ連結シートは、第１〜４のいずれか態様の緊締紐テープが複数分離可能な結合手段で連結されていることを特徴とする。
【発明の効果】
【００２５】
本発明の第１の態様の緊締紐テープによれば、従来技術のバックシーラー、ビニタイ、エスタイなどが抱える課題、例えばシール装置が高価、切断具が必要、特殊シート材料で材料費が高騰、製作が面倒など、の課題を解決して、多種多様な被包装物乃至結束物などを包装乃至束ねる袋口の封止乃至結束などに要求されるスペック（仕様）に合わせて選択できて、作業性、デザイン乃至ファッション性に優れ、遊び心性などを備え、作製が簡単、安価で、再利用が可能な、簡易タイプの緊締紐テープを提供できる。
【００２６】
第２の態様の緊締紐テープによれば、掛止孔の直径と横幅の長との関係を２Ｄ＜Ｗにしたことにより、掛止孔内にテープがしっかり掛止されまた、使用時に掛止孔からシートが裂けるのを防止できる。
【００２７】
第３の態様の緊締紐テープによれば、プラスチックシート片の掛止部が掛止孔内に係止され、抜けを防止できる。
【００２８】
第４の態様の緊締紐テープによれば、表示領域に、企業名、製品名などの文字表示、用途や警告・注意事項を付したマーク表示などの印刷乃至ラベル貼り、或いはメモ書などができる。
【００２９】
第５の態様の緊締紐テープ連結シートによれば、複数の緊締紐テープが分離自在な連結手段で連結されているので、保管乃至扱いが容易・簡単になり、一方でまた使用時は、その毎に簡単に分離して使用でき、便利になる。
【図面の簡単な説明】
【００３０】
【図１】図１は本発明の実施形態１に係る緊締紐テープを示し、図１Ａは平面図、図１Ｂは図１Ａの１Ｂ−１Ｂの断面図、図１Ｃは図１ＡのＩＣ部分の拡大図、図１Ｄは図１Ｃの１Ｄ−１Ｄの断面図、図１Ｅは緊締紐テープを包装袋に使用した例の斜視図である。
【図２】図２は図１の緊締紐テープの変形例を示し、図２Ａは変形例１の平面図、図２Ｂは変形例２の平面図、図２Ｃは変形例３の平面図である。
【図３】図３は他の変形例を示し、図３Ａは変形例４の平面図、図３Ｂは変形例５の平面図である。
【図４】図４はさらに他の変形例を示し、図４Ａは変形例６の平面図、図４Ｂは図４Ａの緊締紐テープの緊締状態における部分斜視図である。
【図５】本発明の実施形態２に係る緊締紐テープ連結シートの平面図である。
【図６】本発明の実施形態３に係る緊締紐テープ連結シートの平面図である。
【発明を実施するための形態】
【００３１】
以下、図面を参照して、本発明の実施形態に係る緊締紐テープ及び緊締紐テープ連結シートを説明する。但し、以下に示す実施形態は、本発明の技術思想を具体化するための緊締紐テープ及び緊締紐テープ連結シートを例示するものであって、本発明をこれに特定することを意図するものではなく、特許請求の範囲に含まれるその他の実施形態のものにも等しく適応し得るものである。
【００３２】
なお、本明細書で使用の用語「緊締紐テープ」は、包装袋等の袋口などを「緊締」（きつく締めつける）、「紐テープ」（薄くて細長い帯状で所定長さの紐状テープ）」を意味し、また、「被緊締部」は包装袋の袋口封止の場合は封止する箇所及び束ね物の場合は結束する箇所を総称している。また、この緊締紐テープは所定大きさ及び厚さのプラスチック（合成樹脂）フィルムを用いて加工・作製したものであり、その厚さは、日本工業規格（ＪＩＳ）において０．２５ｍｍ未満のものをフィルム、それより厚いものをシートと区分しているが、本明細書の「シート」にはこのフィルムも含んでいる。
【００３３】
[実施形態１]
図１を参照して、本発明の実施形態１に係る緊締紐テープを説明する。なお、図１は本発明の実施形態１に係る緊締紐テープを示し、図１Ａは平面図、図１Ｂは図１Ａの１Ｂ−１Ｂの断面図、図１Ｃは図１ＡのＩＣ部分の拡大図、図１Ｄは図１Ｃの１Ｄ−１Ｄの断面図、図１Ｅは緊締紐テープを包装袋に使用した例の斜視図である。
【００３４】
本発明の実施形態１に係る緊締紐テープ１０は、図１Ａに示したように、所定の横幅Ｗ、長さＬ及び厚さｔを有する略短冊状のプラスチックシート片１１からなり、このプラスチックシート片１１は長さ方向の一端部１１a側に少なくとも１個（複数個でもよい）の掛止孔１２を穿設し、この掛止孔１２は当該掛止孔へプラスチックシート片１１を他端部１１ｂから挿通の際に当該プラスチックシート片１１の弾性変形により強制的に挿通・牽引され、挿通・牽引停止後は弾性復元による当該プラスチックシート片１１の復元力を利用して、当該掛止孔１２内に係止され、被緊締部が緊締される構成となっている。
【００３５】
なお、上記の用語「掛止」は掛けるのに必要な機構をもったものを掛けて止める、「係止」は掛かり合わせて止める、意味で使用し、また、緊締紐テープは、所定大きさ及び厚さのプラスチック（合成樹脂）シートを用いて加工・作製されたものである。この点は後記する。
【００３６】
この緊締紐テープ１０によれば、以下の顕著な作用効果を奏する。
ア  従来技術のバックシーラー、ビニタイ、エスタイなどが抱える課題、例えばシール装置が高価、切断具が必要、特殊シート材料で材料費が高騰、製作が面倒など、の課題を解決して、多種多様な被包装物乃至結束物などを包装乃至束ねる袋口の封止乃至結束などの緊締に要求されるスペックに合わせて選択できて、作業性、デザイン乃至ファッション性に優れ、遊び心性などをも備え、作製が簡単、安価で、再利用が可能な、簡易タイプの緊締紐テープを提供できる。以下、この点をさらに補足する。
【００３７】
イ  緊締紐テープはプラスチックシート片からなり、このプラスチックシート片はプラスチックシートを用いて加工・作製するので、用途に対応させたものに簡単、容易に作製できる。
【００３８】
ウ  プラスチックシートは、広く一般にごく普通に使用されているものであることから、簡単、安価に入手でき、また、所望の色、模様などが簡単に印刷でき、任意の形状にして、デザイン性乃至ファッション性が優れ、安価にでき、多品種、少量生産品（物）にも適用可能になる。なお、厚手のフィルム（シート）で形成すると電気工事で使用されているインシュロック（登録商標）の代替品としても使用できる。
【００３９】
エ  緊締紐テープは、プラスチックシート片に掛止孔を穿設するだけで構成できるので、製作が極めて簡単に製作できる。
【００４０】
オ  プラスチックシート片の一端部を掛止孔に挿通・牽引により袋口などを封止乃至結束ができ、また、反対の他端部の牽引により、それらの封止乃至結束を緩めて解除できるので、封止乃至結束の作業性が極めて簡単になる。
【００４１】
以下、この緊締紐テープ１０の細部構成を詳述すると共に、他の特徴を明らかにする。
【００４２】
緊締紐テープ１０は、図１Ａ、１Ｂに示したように、所定の横幅Ｗ、長さＬ及び厚さｔの柔軟性乃至可撓性などの弾性を有する略短冊状のプラスチックシート片１１で形成されている。
図１Ａに図示のプラスチックシート片１１は、所定大きさ及び厚さのプラスチックシート（図示省略）を用いて、所定の箇所に複数個の掛止孔を穿設して、所定の形状に裁断して作製した一枚（本）を示している。
【００４３】
プラスチックシート（含む、フィルム）は、その厚さが比較的厚い１５０〜７００μｍの範囲であって、ポリプロピレン（ＰＰ）からなる２軸延伸フィルムを使用する。このフィルムによれば縦、横方向の強度が無延伸フィルムに比べて強くなる。このフィルムは表裏いずれかの少なくとも一面に、色、絵、模様、写真など印刷などをして置くのが好ましい。これらの色、絵などを付すことにより、プラスチックシート片１１に裁断・加工したときに、それぞれのシート片は所定の色、絵、模様乃至写真が付されたものとなり、化粧性、デザイン性乃至ファッション性が優れたものになる。
【００４４】
なお、化粧性、デザイン性乃至ファッション性は、絵、模様などだけでなくシート片の外形形状に工夫。変化を持たせて裁断・加工することによって付与できる。また、夜光塗料や蛍光塗料を一部乃至全体に塗布してもよい。なお、プラスチックシート（フィルム）はポリプロピレン（ＰＰ）に限定するものでなく他のプラスチック材、例えばポリエチレン（ＰＥ）でもよい。
プラスチックシート片１１は、所定の厚さのプラスチックシート（フィルム）で形成されるので、短冊状をなし軟性乃至可撓性などの弾性を有するものとなる。
【００４５】
掛止孔１２は、任意の形状及び大きさの貫通孔からなり、図１Ａに示したように、プラスチックシート片１１の長さ方向の一端部１１aの近傍乃至若干離れた箇所（以下、一端部側という）にあって、横幅の略中央に穿設されている。図１Ａのプラスチックシート片１１に設けた掛止孔１２の数は1個であるが、所定の間隔をあけて複数個設けてもよい。掛止孔１２の貫通孔の形状は、円形乃至楕円形状の貫通孔が好ましい。この形状にするとことにより、孔から外へ向かって破れ乃至裂け難くなる。
【００４６】
また、掛止孔１２の位置は、図１Ｃに示したように、円形貫通孔の直径をＤとして、横幅Ｗとの関係は、Ｗ＜２Ｄで且つ掛止孔１２からシート片の両サイドまで幅長が１／２Ｄとするのが好ましい。この関係から、掛止孔１２はプラスチックシート片１１の中央部に位置するので、掛止孔１２からシート片両サイドまで幅長が同じ（１／２Ｄ）になり、掛止孔へプラスチックシート片の他端部が挿通・牽引されたときに破断するのを防止できる。
【００４７】
また、掛止孔１２へプラスチックシート片が挿通・牽引時は、プラスチックシート片は断面形状が略Ｃ型に弾性変形して、強制的に挿通・牽引され、挿通後は弾性変形状態略Ｃ型が元に戻ろうとする復元力が掛止孔１２内で作用し、プラスチックシート片が掛止孔内に係止される。係止される箇所、すなわち係止部は長さＬ２の外、すなわち他端部１１ｂ側の任意の箇所となる。
【００４８】
この、掛止孔１２は、図１Ｄに示したように、プラスチックシート片１１の表面１１２にあって、掛止孔１２の周縁に、面から突出させた抜け止め突起１２１が形成されている。この抜け止め突起は、プラスチックシート片の抜け止めの機能を果たす。この抜け止め突起は、プラスチックシート片を裏面側から打ち抜いたときに形成されるバリをそのまま利用してもよい。
【００４９】
プラスチックシート片１１の寸法は、特に限定するものでなく、用途によって決める。例えば、横幅Ｗは１０ｍｍ、長さＬは１８０ｍｍ、厚さｔは１５０〜２００μｍ（なお、７００μｍくらいまで可能）である。長さＬのうち、一端部１１aから掛止孔１２までの長さＬ１は６０ｍｍである。また掛止孔１２から他端部側１１ｂに向かって所定長さＬ２は、例えば３０ｍｍで、この長さ範囲は、袋口を封止する領域となる。
【００５０】
図１Ｅを参照して、緊締紐テープ１０の使用例を説明する。なお、図１Ｅは緊締紐テープを包装袋に使用した例の斜視図である。
【００５１】
（袋口封止）
まず、包装袋１００の袋口付近を閉じ所定回数捩じって首部１００a'を形成する。次いで、この首部１００a'の外周囲に緊締紐テープ１０の裏面１１１の長さＬ２部分を当接して、他端部１１ｂを掛止孔１２に挿通して、牽引する。この牽引により、プラスチックシート片１１はその弾性変形により強制的に挿通され、挿通後は弾性復元により当該プラスチックシート片１１の復元力を利用して、当該掛止孔１２内に係止・固定され、首部が強く締めつけられて、袋口が封止される。なお、緊締紐テープ１０は首部１００a'に一回巻としたが、２回巻にしてもよい。２回巻するよ、より強く首部を締めつけることができる。
【００５２】
（封止開封）
また、袋口の封止解除は、プラスチックシート片１１の一端部１１aを強い力で牽引すると、このテープ片は掛止孔１２から弾性変形により強制的に抜け、首部の締めつけが緩み袋口を簡単に開封できる。
以上、緊締紐テープ１０の使用例として包装袋の袋口封止を説明したが、他のもの結束、例えば所定本数のアスパラガスの結束具などにも使用でき、用途は広範囲になる。また、使用後の緊締紐テープは、繰り返し使用可能である。
【００５３】
次に図２〜図４を参照して、実施形態１の緊締紐テープの変形例を説明する。なお、図２は図１の緊締紐テープの変形例を示し、図２Ａは変形例１の平面図、図２Ｂは変形例２の平面図、図２Ｃは変形例３の平面図、図３は他の変形例を示し、図３Ａは変形例４の平面図、図３Ｂは変形例５の平面図、図４はさらに他の変形例を示し、図４Ａは変形例６の平面図、図４Ｂは図４Ａの緊締紐テープの緊締状態における部分斜視図である。
【００５４】
変形例１〜６の緊締紐テープ１０Ａ〜１０Ｅは、実施形態１の緊締紐テープ１０の一部構成を変更したものであって、以下の説明では、共通する構成部分には同一符号を付して重複説明を避け、異なる構成を詳述する。
【００５５】
変形例１の緊締紐テープ１０Ａは、図２Ａに示したように、実施形態１の緊締紐テープ１０にあって、プラスチックシート片１１は掛止孔１２と一端部１１ｂ間の両側端縁に端縁の一部を凹ませた掛止部１３を形成したものである。なお、係止部１３は一方端縁だけでもよく、凹みの形状は任意であり、１個でなく複数連続させてもよい。
この構成によれば、プラスチックシート片１１の掛止孔１２が掛止部１３に掛止（引っ掛かり）され、抜けが阻止され係止が確実になる。
【００５６】
変形例２の緊締紐テープ１０Ｂは、図２Ｂに示したように、掛止部１３aを鋸状のギザギザで形成したものである。この構成によれば、係止部１３aが掛止孔１２に掛止され、係止がより確実になる。
【００５７】
各緊締紐テープ１０Ａ、１０Ｂは、係止部の形状を凹み乃至鋸状ギザギザで形成したが、これに限定するものでなく、他の掛止（引っ掛かり）形状にしてもよい。例えば、図２Ｃの変形例３の緊締紐テープ１０Ｂ'は他の形状にした掛止部１３ｂにしたものである。この掛止部１３ｂは凹み形状を略鈎状にし、連続させてある。この形状により、掛止孔１２へは楽になり、一方で抜け難くなる。
【００５８】
変形例４、５の緊締紐テープ１０Ｃ、１０Ｄは、実施形態１の緊締紐テープ１０を構成するプラスチックシート片１１の一部に面積を拡大した表示領域１５．１６を形成したものである。これらの表示領域は、企業名、製品名などの文字表示、用途や警告・注意事項を付したマーク表示などの印刷乃至ラベル貼り、或いはメモ書きなどするエリアである。この表示領域は、プラスチックシート片１１
の表裏のいずれの面であってもよい。
【００５９】
変形例４の緊締紐テープ１０Ｃは、図３Ａに示したように、プラスチックシート片１１の端部にシート片１１の横幅を拡大膨出させて面積を拡大した表示領域１５を形成したものである。
【００６０】
また、変形例５の緊締紐テープ１０Ｄは、図３Ｂに示したように、緊締紐テープ１０Ｃと同様の表示領域１６に加え、係止部１３を設けたものである。これにより、表示に加え係止が確実になる。
【００６１】
図４を参照して変形例６の緊締紐テープ１０Ｅを説明する。この緊締紐テープ１０Ｅは、実施形態１の緊締紐テープ１０にあって、プラスチックシート片１１は掛止孔１２と一端部１１ｂと間に係止部１３ｃを設けたもので、この係止部は複数個の穴１３ｃ１〜１３aｎで構成されている。これらの穴はプラスチックシート片の略中央にあって貫通しており、円形穴が好ましく直径は任意でよい。また、この穴からなり係止部は変形例１〜５の緊締紐テープに設けてもよい。
この構成によれば、係止１２に挿通されたときに、穴部分を起点にして折れ曲がり、掛止孔に確実に係止される。
【００６２】
以上の説明から、緊締紐テープ１０、１０Ａ〜１０Ｅは、上記ア〜エの顕著な作用効果を奏することが裏付けられている。
【００６３】
[実施形態２、３]
図５、図６を参照して、本発明の実施形態２、３に係る緊締テープシートを説明する。なお、図５は本発明の実施形態２に係る緊締紐テープ連結シートの平面図、図６は本発明の実施形態３に係る緊締紐テープ連結シートの平面図である。
この実施形態２、３に係る緊締紐テープ連結シート１７、１８は、複数の緊締紐テープを分離自在な連結手段により連結したものである。
【００６４】
すなわち、これらの緊締紐テープ連結シート１７、１８は、単体の緊締紐テープ１０、１０Ａ〜１０Ｅを複数分離自在な連結手段により、連結したものである。なお、図４、５は各緊締紐テープ１０、１０Ａ〜１０Ｅの掛止孔乃至表示領域などは省略されている。
【００６５】
実施形態２の緊締紐テープ連結シート１７は、図５に示したように、それぞれの緊締紐テープ、例えば緊締紐テープ１０を斜め方向に区分して、それらの間を分離自在な連結手段１８１〜１８ｎ、例えばミシン目などで連結したものである。なお、他の締紐テープ１０Ａ〜１０Ｅも同じである。
この緊締紐テープ連結シート１７によれば、複数の緊締紐テープが分離自在な連結手段で連結されているので、保管乃至扱いが容易・簡単になり、一方でまた使用時は、その毎に簡単に分離して使用でき、便利になる。
【００６６】
実施形態３の緊締紐テープ連結シート１９は、図６に示したように、それぞれの緊締紐テープ１０を縦長体２０にして、分離自在な連結手段（ミシン目など）２０１〜２０ｎで連結したものであって、実施形態２の緊締紐テープ連結シート１７と同様の作用効果を奏する。
これらの緊締紐テープ連結シート１７、１９は、所定の大きさ及び厚さのプラスチックシート（フィルム）で作製される。
【００６７】
次に、緊締紐テープ及び緊締紐テープシートの製法例を説明する。
これらの緊締紐テープ１０、１０Ａ〜１０Ｅ及び緊締紐テープ連結シート１７、１９は、所定大きさ及び厚さのプラスチック（合成樹脂）シートを用いて作製する。このラスチックシートは、それらの厚さが１５０〜７００μｍ範囲であって、ポリプロピレン（ＯＰＰ）からなる２軸延伸シートを使用する。
【００６８】
その作製工程は、プラスチック原料（ペレット）から所定大きさ及び厚さのシートを作製するシート作製工程、なお、この工程で色を付着させてもよい。また、市販のシートを使用してもよい。次に、このシートに所望の模様、絵、写真などを印刷する印刷工程、印刷されたシートを用いて所定形状からなる緊締紐テープの連結体を形成する工程、この工程でシートは各緊締紐テープ１０、１０Ａ〜１０Ｄを区分した連結体を形成する。その後、これらの連結体から個々の緊締紐テープを分離する分離工程、などの工程となっている。
【００６９】
この製法によれば、まず、所定大きさ及び厚さのプラスチック（合成樹脂）シートは、簡単に作製乃至入手できるので、材料費を低く抑えることができる。また、このようなシートは所望の色、模様などが簡単に印刷でき、加工（製作）はシートを裁断、穿設で簡単にできる、それぞれも任意の形状に簡易締結性、デザイン性、ファッション性、安価、簡単作製、すなわち、多品種種、少量品を対象にできる。
【符号の説明】
【００７０】
１０、１０Ａ〜１０Ｅ        緊締紐テープ
１１                        プラスチックシート片
１２                        掛止孔
１２１                      抜け止め突起
１３〜１３ｃ                掛止部
１３ｃ１〜１３aｎ              穴
１５、１６                  表示領域
１７、１９                  緊締紐テープシート
【図１】
2019085160.tif 000003
【図２】
2019085160.tif 000004
【図３】
2019085160.tif 000005
【図４】
2019085160.tif 000006
【図５】
2019085160.tif 000007
【図６】
2019085160.tif 000008